(57)【要約】  ワイヤレス通信のための方法、装置、およびコンピュータプログラム製品が提供される。第１のセルの装置は、第１のセルの範囲拡大領域中のユーザ機器（ＵＥ）への第２のセルによる制御情報と第１のセルによるデータとの多地点協調（ＣｏＭＰ）送信に関して第２のセルと通信し、ＵＥによる第１のセルへのアップリンク送信のための所望の送信電力レベルを決定し、第２のセルにアップリンク送信のための所望の送信電力レベルを与える。
2014534678.tif 000002
【特許請求の範囲】
【請求項１】
第１のセルのワイヤレス通信の方法であって、
前記第１のセルの範囲拡大領域中のユーザ機器（ＵＥ）への第２のセルによる制御情報と前記第１のセルによるデータとの多地点協調（ＣｏＭＰ）送信に関して前記第２のセルと通信することと、
前記ＵＥによる前記第１のセルへのアップリンク送信のための所望の送信電力レベルを決定することと、
前記第２のセルに前記アップリンク送信のための前記所望の送信電力レベルを与えることと
を備える、方法。
【請求項２】
前記所望の送信電力レベルを与えることは、前記第２のセルに送信電力制御（ＴＰＣ）情報を与えることを含み、前記ＴＰＣ情報は、前記ＵＥが前記アップリンク送信の送信電力を設定するためのものである、請求項１に記載の方法。
【請求項３】
前記第２のセルによる制御情報の前記送信に部分的に基づいて前記ＵＥからアップリンク送信を受信することをさらに備える、請求項１に記載の方法。
【請求項４】
前記ＵＥに前記制御情報を送信することをさらに備え、前記第１のセルと前記第２のセルが同じセル識別子を有する、請求項１に記載の方法。
【請求項５】
前記第１のセルが低電力発展型ノードＢ（ｅＮＢ）であり、前記第２のセルが高電力ｅＮＢである、請求項１に記載の方法。
【請求項６】
前記ＵＥから受信したアップリンク送信に基づいて前記第２のセルにタイミングアドバンス情報を通信することをさらに備え、前記タイミングアドバンス情報は、前記ＵＥが前記アップリンク送信のアップリンクタイミングを調整するためのものである、請求項１に記載の方法。
【請求項７】
第２のＵＥから第２のアップリンク送信を受信することと、
前記ＵＥからの前記アップリンク送信と前記第２のＵＥからの前記第２のアップリンク送信との間のアライメントを改善するために、システム時間を前記第２のセルのシステム時間に対して調整することと
をさらに備える、請求項６に記載の方法。
【請求項８】
第１のセルのワイヤレス通信のための装置であって、
前記第１のセルの範囲拡大領域中のユーザ機器（ＵＥ）への第２のセルによる制御情報と前記第１のセルによるデータとの多地点協調（ＣｏＭＰ）送信に関して前記第２のセルと通信するための手段と、
前記ＵＥによる前記第１のセルへのアップリンク送信のための所望の送信電力レベルを決定するための手段と、
前記第２のセルに前記アップリンク送信のための前記所望の送信電力レベルを与えるための手段と
を備える、装置。
【請求項９】
前記所望の送信電力レベルを与えるための前記手段は、前記第２のセルに送信電力制御（ＴＰＣ）情報を与えるための手段を含み、前記ＴＰＣ情報は、前記ＵＥが前記アップリンク送信の送信電力を設定するためのものである、請求項８に記載の装置。
【請求項１０】
前記第２のセルによる制御情報の前記送信に部分的に基づいて前記ＵＥからアップリンク送信を受信するための手段をさらに備える、請求項８に記載の装置。
【請求項１１】
前記ＵＥに前記制御情報を送信するための手段をさらに備え、前記第１のセルと前記第２のセルが同じセル識別子を有する、請求項８に記載の装置。
【請求項１２】
前記第１のセルが低電力発展型ノードＢ（ｅＮＢ）であり、前記第２のセルが高電力ｅＮＢである、請求項８に記載の装置。
【請求項１３】
前記ＵＥから受信したアップリンク送信に基づいて前記第２のセルにタイミングアドバンス情報を通信するための手段をさらに備え、前記タイミングアドバンス情報は、前記ＵＥが前記アップリンク送信のアップリンクタイミングを調整するためのものである、請求項８に記載の装置。
【請求項１４】
第２のＵＥから第２のアップリンク送信を受信するための手段と、
前記ＵＥからの前記アップリンク送信と前記第２のＵＥからの前記第２のアップリンク送信との間のアライメントを改善するために、システム時間を前記第２のセルのシステム時間に対して調整するための手段と
をさらに備える、請求項１３に記載の装置。
【請求項１５】
第１のセルの範囲拡大領域中のユーザ機器（ＵＥ）への第２のセルによる制御情報と前記第１のセルによるデータとの多地点協調（ＣｏＭＰ）送信に関して前記第２のセルと通信することと、
前記ＵＥによる前記第１のセルへのアップリンク送信のための所望の送信電力レベルを決定することと、
前記第２のセルに前記アップリンク送信のための前記所望の送信電力レベルを与えることと
を行うためのコードを備えるコンピュータ可読媒体
を備える、コンピュータプログラム製品。
【請求項１６】
前記所望の送信電力レベルを与えるためのコードは、前記第２のセルに送信電力制御（ＴＰＣ）情報を与えるためのコードを含み、前記ＴＰＣ情報は、前記ＵＥが前記アップリンク送信の送信電力を設定するためのものである、請求項１５に記載のコンピュータプログラム製品。
【請求項１７】
前記コンピュータ可読媒体が、前記第２のセルによる制御情報の前記送信に部分的に基づいて前記ＵＥからアップリンク送信を受信するためのコードをさらに備える、請求項１５に記載のコンピュータプログラム製品。
【請求項１８】
前記コンピュータ可読媒体は、前記ＵＥに前記制御情報を送信するためのコードをさらに備え、前記第１のセルと前記第２のセルが同じセル識別子を有する、請求項１５に記載のコンピュータプログラム製品。
【請求項１９】
前記第１のセルが低電力発展型ノードＢ（ｅＮＢ）であり、前記第２のセルが高電力ｅＮＢである、請求項１５に記載のコンピュータプログラム製品。
【請求項２０】
前記コンピュータ可読媒体は、前記ＵＥから受信したアップリンク送信に基づいて前記第２のセルにタイミングアドバンス情報を通信するためのコードをさらに備え、前記タイミングアドバンス情報は、前記ＵＥが前記アップリンク送信のアップリンクタイミングを調整するためのものである、請求項１５に記載のコンピュータプログラム製品。
【請求項２１】
前記コンピュータ可読媒体が、
第２のＵＥから第２のアップリンク送信を受信することと、
前記ＵＥからの前記アップリンク送信と前記第２のＵＥからの前記第２のアップリンク送信との間のアライメントを改善するために、システム時間を前記第２のセルのシステム時間に対して調整することと
を行うためのコードをさらに備える、請求項２０に記載のコンピュータプログラム製品。
【請求項２２】
第１のセルのワイヤレス通信のための装置であって、
前記第１のセルの範囲拡大領域中のユーザ機器（ＵＥ）への第２のセルによる制御情報と前記第１のセルによるデータとの多地点協調（ＣｏＭＰ）送信に関して前記第２のセルと通信することと、
前記ＵＥによる前記第１のセルへのアップリンク送信のための所望の送信電力レベルを決定することと、
前記第２のセルに前記アップリンク送信のための前記所望の送信電力レベルを与えることと
を行うように構成された処理システム
を備える、装置。
【請求項２３】
前記所望の送信電力レベルを与えることは、前記第２のセルに送信電力制御（ＴＰＣ）情報を与えることを含み、前記ＴＰＣ情報は、前記ＵＥが前記アップリンク送信の送信電力を設定するためのものである、請求項２２に記載の装置。
【請求項２４】
前記処理システムが、前記第２のセルによる制御情報の前記送信に部分的に基づいて前記ＵＥからアップリンク送信を受信するようにさらに構成された、請求項２２に記載の装置。
【請求項２５】
前記処理システムは、前記ＵＥに前記制御情報を送信することを行うようにさらに構成され、前記第１のセルと前記第２のセルが同じセル識別子を有する、請求項２２に記載の装置。
【請求項２６】
前記第１のセルが低電力発展型ノードＢ（ｅＮＢ）であり、前記第２のセルが高電力ｅＮＢである、請求項２２に記載の装置。
【請求項２７】
前記処理システムは、前記ＵＥから受信したアップリンク送信に基づいて前記第２のセルにタイミングアドバンス情報を通信することを行うようにさらに構成され、前記タイミングアドバンス情報は、前記ＵＥが前記アップリンク送信のアップリンクタイミングを調整するためのものである、請求項２２に記載の装置。
【請求項２８】
前記処理システムは、
第２のＵＥから第２のアップリンク送信を受信することと、
前記ＵＥからの前記アップリンク送信と前記第２のＵＥからの前記第２のアップリンク送信との間のアライメントを改善するために、システム時間を前記第２のセルのシステム時間に対して調整することと
を行うようにさらに構成された、請求項２７に記載の装置。
【発明の詳細な説明】
【技術分野】
【０００１】
関連出願の相互参照  
本出願は、本出願の譲受人に譲渡され、開示の全体が参照により明確に本明細書に組み込まれる、２０１１年１０月３日に出願された「METHOD AND APPARATUS FOR UPLINK TRANSMISSION POWER CONTROL AND TIMING IN COORDINATED MULTIPOINT TRANSMISSION SCHEMES」と題する米国仮出願第６１／５４２，６５６号、および２０１２年１０月２日に出願された「METHOD AND APPARATUS FOR UPLINK TRANSMISSION POWER CONTROL AND TIMING IN COORDINATED MULTIPOINT TRANSMISSION SCHEMES」と題する米国特許出願第１３／６３３，７９５号の利益を主張する。
【０００２】
本開示は、一般に通信システムに関し、より詳細には、多地点協調（coordinated multipoint）伝送方式におけるアップリンク送信電力制御およびタイミングのための方法および装置に関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はＬｏｎｇ  Ｔｅｒｍ  Ｅｖｏｌｕｔｉｏｎ（ＬＴＥ）である。ＬＴＥは、第３世代パートナーシッププロジェクト（３ＧＰＰ：Third Generation Partnership Project）によって公表されたユニバーサルモバイル電気通信システム（ＵＭＴＳ）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
ＬＴＥ技術についての改善の一例は、ｅノードＢ（ｅＮＢ）などの複数の基地局がＵＥへのＤＬ送信を協調させる、多地点協調送信（ＣｏＭＰ）方式の使用である。ＵＥ上の複数のアンテナを使用してｅＮＢから受信した信号を協調させ、組み合わせることによって、ＣｏＭＰは、ＵＥがＬＴＥセルの中心に近いか、それの外縁にあるかにかかわらず、ビデオ、写真および他の高帯域サービスへのアクセスおよびそれらの共有において一貫した性能および品質を提供する。したがって、ＣｏＭＰはネットワーク容量および性能を著しく高めることができる。
【０００６】
ＣｏＭＰは、様々な方式を使用して実装され得る。ＣｏＭＰ方式の一実装形態は、複数のｅＮＢがＵＥのための同じデータを送信する「ジョイント送信（joint transmission）」方式である。この例では、すべての関係するｅＮＢのアンテナすべてにわたるジョイントプリコーディングベクトル（joint precoding vector）が使用され得る。「分散ＭＩＭＯ」方式と呼ばれる、別の実装形態では、ｅＮＢは、異なるＭＩＭＯレイヤとしてＵＥのための異なるいくつかのデータを送信する。たとえば、第１のＭＩＭＯレイヤが１つのｅＮＢによって送信され、第２のＭＩＭＯレイヤが別のｅＮＢによって送信される、などである。「協調ビームフォーミング」と呼ばれるまた別の実装形態では、ｅＮＢは、近隣セル中のＵＥへの干渉を低減するために選択されたビームを使用して、関連ＵＥに送信する。
【０００７】
ＣｏＭＰは同種ネットワークおよび／または異種ネットワーク中に存在し得る。異種ネットワークでは、ｅＮＢなど、マクロ基地局ノードまたはセルに加えて、ピコ、フェムトおよびリレー基地局など、低電力基地局ノードまたはセルの混合が使用される。ＣｏＭＰでは、低電力ノードはリモートラジオヘッド（ＲＲＨ：remote radio head）と呼ばれることがある。ＲＲＨとｅＮＢとの間の接続は、いくらかのレイテンシおよび有限帯域幅問題を生じやすいＸ２バックリンク（backlink）を介して、または最小レイテンシおよび相対的無限帯域幅を与えるファイババックリンクを介して行われ得る。
【０００８】
異種ネットワークでは、ＲＲＨは、マクロセルと同じセルＩＤを有することも有しないこともある。ＲＲＨとマクロセルが共通ＩＤを共有する前者の場合、マクロセルとＲＲＨは、集中型スケジューリングをもつスーパーセル（super-cell）を形成する。後者の場合、制御およびデータは異なるセルによってサービスされ得る。しかしながら、電力制御およびタイミング問題が両方の場合に存在し得る。たとえば、いくつかの状況では、ＵＥは、間違ったセルから経路損失情報を導出し得る。さらに、ＵＥはまた、不正確なソースからタイミング情報を導出し得る。
【０００９】
したがって、上記で説明した問題に対処することが望ましい。
【発明の概要】
【００１０】
本開示の一態様では、方法、コンピュータプログラム製品、および装置が提供される。本装置は、第１のセルから制御情報を受信し、第１のセルからの受信した制御情報に部分的に基づいて第２のセルへのアップリンク送信を生成し、第２のセルへのアップリンク送信に基づいて送信電力設定を受信し、送信電力を使用して第２のセルにアップリンクで送信する。
【００１１】
本開示のさらなる態様では、第１のセルの装置は、第１のセルの範囲拡大領域中のユーザ機器（ＵＥ）への第２のセルによる制御情報と第１のセルによるデータとの多地点協調（ＣｏＭＰ）送信に関して第２のセルと通信し、ＵＥによる第１のセルへのアップリンク送信のための所望の送信電力レベルを決定し、第２のセルへのアップリンク送信のための所望の送信電力レベルを与える。
【００１２】
本開示の別の態様では、第１のセルの装置は、第２のセルの範囲拡大領域中のユーザ機器（ＵＥ）への第１のセルによる制御情報と第２のセルによるデータとの多地点協調（ＣｏＭＰ）送信に関して第２のセルと通信し、第２のセルからＵＥのための所望の送信電力レベルを受信し、所望の送信電力レベルに基づいて制御情報を生成し、制御情報をＵＥに送信する。
【図面の簡単な説明】
【００１３】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢ（ｅＮＢ）およびユーザ機器の一例を示す図。
【図７】異種ネットワーク中の範囲拡張されたセルラー領域を示す図。
【図８】すべてのセルが異なるＩＤを使用するＣｏＭＰシナリオを示す図。
【図９】すべてのセルが同じＩＤを共用する別のＣｏＭＰシナリオを示す図。
【図１０】ＣｏＭＰシナリオにおけるＵＥによるＵＬ送信電力を制御するための送信電力制御（ＴＰＣ：Transmission Power Control）プロセスのフロー図。
【図１１】図１０のプロセスの動作を示す図。
【図１２】ＵＬ  ＴＡを制御するためのタイミングアドバンス（ＴＡ：Timing Advance）プロセスのフロー図。
【図１３】図１２のＴＡプロセスの動作を示すタイミング図。
【図１４】ＣｏＭＰシナリオにおけるＵＥの動作のためのワイヤレス通信の方法のフローチャート。
【図１５】ＣｏＭＰシナリオにおけるＲＲＨの動作のためのワイヤレス通信の方法のフローチャート。
【図１６】ＣｏＭＰシナリオにおけるｅＮＢの動作のためのワイヤレス通信の方法のフローチャート。
【図１７】ＵＥのために実装され得る例示的な装置中の異なるモジュール間のデータフローを示す概念データフロー図。
【図１８】ＵＥのために実装され得る処理システムを採用する装置についてのハードウェア実装形態の例を示す図。
【図１９】リモートラジオヘッド（ＲＲＨ）のために実装され得る例示的な装置中の異なるモジュール間のデータフローを示す概念データフロー図。
【図２０】ＲＲＨのために実装され得る処理システムを採用する装置のためのハードウェア実装形態の例を示す図。
【図２１】ｅＮＢのために実装され得る例示的な装置中の異なるモジュール間のデータフローを示す概念データフロー図。
【図２２】ｅＮＢのために実装され得る処理システムを採用する装置のためのハードウェア実装形態の例を示す図。
【詳細な説明】
【００１４】
添付の図面に関して以下に示す詳細な説明は、様々な構成を説明するものであり、本明細書で説明する概念が実施され得る唯一の構成を表すものではない。詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１５】
次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１６】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１７】
したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【００１８】
図１は、ＬＴＥネットワークアーキテクチャ１００を示す図である。ＬＴＥネットワークアーキテクチャ１００は、発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは、他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１９】
Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２０】
ｅＮＢ１０６は、Ｓ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２１】
図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数の低電力クラスのｅＮＢ２０８は、セル２０２のうちの１つまたは複数と重複するセルラー領域２１０を有し得る。低電力クラスのｅＮＢ２０８は、リモートラジオヘッド（ＲＲＨ）と呼ばれることがある。低電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担う。アクセスネットワーク２００は、ブロードキャストサービス、マルチキャストサービス、およびユニキャストサービスをサポートし得る。ブロードキャストサービスは、すべてのユーザによって受信され得るサービス、たとえば、ニュースブロードキャストである。マルチキャストサービスは、あるユーザグループによって受信され得るサービス、たとえば、サブスクリプションビデオサービスである。ユニキャストサービスは、特定のユーザを対象とするサービス、たとえば、ボイス呼である。
【００２２】
アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））、ならびにＴＤ−ＳＣＤＭＡ、ＴＤＭＡを採用するモバイル通信用グローバルシステム（ＧＳＭ（登録商標）：Global System for Mobile Communications）、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、およびＯＦＤＭＡを採用するＦｌａｓｈ−ＯＦＤＭなど、ＣＤＭＡの他の変形態を採用するユニバーサル地上波無線アクセス（ＵＴＲＡ：Universal Terrestrial Radio Access）に拡張され得る。ＵＴＲＡ、Ｅ−ＵＴＲＡ、ＵＭＴＳ、ＬＴＥおよびＧＳＭは、３ＧＰＰという団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課せられる全体的な設計制約によって決まる。
【００２３】
ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通じて空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００２４】
空間多重化は、概して、チャネル状態が良好であるときに使用される。チャネル状態があまり良好でないときには、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００２５】
以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは、精密な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２６】
図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含み、各ＯＦＤＭシンボル中のノーマルサイクリックプレフィックスについて、時間領域中に７個の連続ＯＦＤＭシンボルを含み、または８４個のリソース要素を含んでいる。Ｒ３０２、３０４として示されるリソース要素のいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２７】
図４は、ＬＴＥにおけるＵＬフレーム構造の一例を示す図４００である。ＵＬのための利用可能なリソースブロックは、データセクションと制御セクションとにパーティショニングされ得る。制御セクションは、システム帯域幅の２つのエッジにおいて形成され得、設定可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る、連続サブキャリアを含むデータセクションを生じる。
【００２８】
ＵＥには、ｅＮＢに制御情報を送信するために制御セクション中のリソースブロック４１０ａ、４１０ｂが割り当てられ得る。ＵＥには、また、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical uplink control channel）中で制御情報を送信し得る。ＵＥは、データセクション中の割り当てられたリソースブロック上の物理ＵＬ共有チャネル（ＰＵＳＣＨ：physical uplink shared channel）中でデータのみまたはデータと制御情報の両方を送信し得る。ＵＬ送信は、サブフレームの両方のスロットにわたり得、周波数上でホッピングし得る。
【００２９】
初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある特定の時間リソースおよび周波数リソースに制限される。ＰＲＡＣＨには周波数ホッピングはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３０】
図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３の３つのレイヤとともに示されている。レイヤ１（Ｌ１レイヤ）は最下位レイヤであり、様々な物理レイヤ信号処理機能を実施する。Ｌ１レイヤを本明細書では物理レイヤ５０６と呼ぶ。レイヤ２（Ｌ２レイヤ）５０８は、物理レイヤ５０６の上にあり、物理レイヤ５０６を通じたＵＥとｅＮＢとの間のリンクを担う。
【００３１】
ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１０８のところで終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上に、いくつかの上位レイヤを有し得る。
【００３２】
ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担う。ＭＡＣサブレイヤ５１０はまたＨＡＲＱ動作を担う。
【００３３】
制御プレーンでは、ＵＥおよびｅＮＢのための無線プロトコルアーキテクチャは、制御プレーンについてはヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを設定することとを担う。
【００３４】
図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担う。
【００３５】
ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを容易にするために、コーディングとインターリービングとを含む。次いで、コーディングされ変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３６】
ＵＥ６５０において、各受信機６５４ＲＸは、それのそれぞれのアンテナ６５２を通じて信号を受信する。各受信機６５４ＲＸは、ＲＦキャリア上に変調された情報を復元し、受信機（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いでコントローラ／プロセッサ６５９に与えられる。
【００３７】
コントローラ／プロセッサ６５９はＬ２レイヤを実装する。コントローラ／プロセッサは、プログラムコードとデータとを記憶するメモリ６６０に関連し得る。メモリ６６０は、コンピュータ可読媒体と呼ばれることがある。ＵＬでは、制御／プロセッサ６５９は、コアネットワークからの上位レイヤパケットを復元するために、トランスポートチャネルと論理チャネルとの間での多重分離と、パケット再統合と、解読と、ヘッダの復元と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担う。
【００３８】
ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担う。
【００３９】
ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４０】
ＵＬ送信は、ＵＥ６５０における受信機機能に関して説明した方法と同様の方法でｅＮＢ６１０において処理される。各受信機６１８ＲＸは、それのそれぞれのアンテナ６２０を通じて信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００４１】
コントローラ／プロセッサ６７５はＬ２レイヤを実装する。コントローラ／プロセッサ６７５は、プログラムコードとデータとを記憶するメモリ６７６に関連付けられ得る。メモリ６７６は、コンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、解読と、ヘッダの復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担う。
【００４２】
図７は、ｅＮＢ７１０ａなどのマクロｅＮＢとＲＲＨ７１０ｂなどの低電力クラスｅＮＢとを含むＵＥ７２０をサポートする異種ネットワーク中の範囲拡大セルラー領域を示す図７００である。範囲拡大を達成する１つの方法は、（最大ダウンリンク信号強度をもつｅＮＢではなく、最小経路損失をもつｅＮＢに関連する）経路損失、およびマクロ基地局とピコ基地局、すなわち、それぞれｅＮＢ７１０ａとＲＲＨ７１０ｂ、の間のリソースの固定パーティショニングに基づいて、ＵＥに対するｅＮＢの関連付けを実行することによる。ＲＲＨ７１０ｂは、ＲＲＨ７１０ｂとマクロｅＮＢ７１０ａとの間の拡張セル間干渉協調と、ＵＥ７２０によって実行される干渉除去とを通じて、セルラー領域７０２から拡大された範囲拡大セルラー領域７０４を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０４中のＵＥ７２０をサービスし、ＵＥ７２０が範囲拡大セルラー領域７０４に入るときに、マクロｅＮＢ７１０ａからのＵＥ７２０のハンドオフを受け入れることができる。
【００４３】
範囲拡大をもつ異種ネットワークにおいて、より強いダウンリンク信号強度をもつマクロｅＮＢの存在下で、ＵＥがＲＲＨからサービスを取得するために、ＲＲＨは、支配的マクロ干渉物との制御チャネル干渉協調とデータチャネル干渉協調の両方を実行する必要があり、ＵＥは、干渉除去のための高度な受信機をサポートする必要がある。
【００４４】
セル間干渉協調（ＩＣＩＣ：Inter-Cell Interference Coordination）は異種ネットワーク展開にとって重要である。基本ＩＣＩＣ技法は、干渉基地局間のリソース協調を伴い、干渉基地局は、干渉によって影響を及ぼされるＵＥへの制御およびデータ送信を可能にするためにいくつかのリソースの使用を断念する。より一般的には、干渉基地局は、それらの対応するＵＥへの制御およびデータ送信を可能にするために、互いに送信電力および／または空間ビームに関して協調することができる。
【００４５】
図８に、各々が異なるセルＩＤを有する、ｅＮＢ８１０ａと複数のＲＲＨ１  ８１０ｂ−１〜ＲＲＨ４  ８１０ｂ−４とによってサポートされるカバレージエリア８９０のための異種ＣｏＭＰシナリオ８００を示す。ＲＲＨ１  ８１０ｂ−１〜ＲＲＨ４  ８１０ｂ−４の各々は、それぞれのセルラー領域８０２−１〜８０２−４を含む。ＲＲＨ１  ８１０ｂ−１〜ＲＲＨ４  ８１０ｂ−４の各々はまた、それぞれの範囲拡大セルラー領域８０４−１〜８０４−４を含み、該範囲拡大セルラー領域は、ＲＲＨ１  ８１０ｂ−１〜ＲＲＨ４  ８１０ｂ−４とマクロｅＮＢ８１０ａとの間の拡張セル間干渉協調と、ＵＥ８２０によって実行される干渉除去とを通じて、それぞれのセルラー領域８０２−１〜８０２−４から拡大される。このシナリオでは、セル分割利得は、異なるユーザを異なるＲＲＨにスケジュールすることによって達成され得る。
【００４６】
図９に、すべてのセルが同じＩＤを有する、ｅＮＢ９１０ａと複数のＲＲＨ１  ９１０ｂ−１〜ＲＲＨ４  ９１０ｂ−４とによってサポートされるカバレージエリア９９０のための別の異種ＣｏＭＰシナリオ９００を示す。図８に示されたＣｏＭＰシナリオと同様に、ＲＲＨ１  ９１０ｂ−１〜ＲＲＨ４  ９１０ｂ−４の各々は、それぞれのセルラー領域９０２−１〜９０２−４を含む。ＲＲＨ１  ９１０ｂ−１〜ＲＲＨ４  ９１０ｂ−４の各々はまた、それぞれの範囲拡大セルラー領域９０４−１〜９０４−４を含み、該範囲拡大セルラー領域は、ＲＲＨ１  ９１０ｂ−１〜ＲＲＨ４  ９１０ｂ−４とマクロｅＮＢ９１０ａとの間の拡張セル間干渉協調と、ＵＥ９２０によって実行される干渉除去とを通じて、それぞれのセルラー領域９０２−１〜９０２−４から拡大される。このシナリオでは、共通基準信号（ＣＲＳ）および制御信号が協調エリア中のすべての送信ポイントから受信される。特に、ＵＥ９２０は、ｅＮＢ９１０ａとＲＲＨ１  ９１０ｂ−１〜ＲＲＨ４  ９１０ｂ−４のすべての送信ポイントから制御を受信し、ＲＲＨ１  ９１０ｂ−１からデータを受信する。
【００４７】
ｅＮＢへのＵＬ送信のためにＵＥによって使用される不要な電力を低減するために、ＵＥによって使用される送信電力レベルは、送信電力制御を使用して調整され得る。ＵＬのための送信電力レベルの調整は、一般に、ＵＥが受けたＤＬ経路損失はＵＬで送信するのに必要な電力量を示すと仮定して、ｅＮＢからの送信のＤＬ経路損失などの検出されたパラメータに基づき得る。しかしながら、干渉除去なしの図８に示したようなＣｏＭＰシナリオ８００の場合、ＵＥ８２０は間違ったソースからＤＬ経路損失を導出する。ＤＬ経路損失情報は、ＵＬ送信の送信電力を設定するためにＵＥによって使用される。この場合、ＲＲＨ１  ８１０ｂ−１からＵＥ８２０までのＤＬ経路損失はそれらの間の状態をより表すが、ＵＥ８２０は、ｅＮＢ８１０ａからのＤＬ経路損失に基づいてそれの送信電力を設定する。図示のように、ＵＥ８２０は、ｅＮＢ８１０ａよりもＲＲＨ１  ８１０ｂ−１に物理的により近く、おそらくＵＥ８２０から低いＵＬ送信電力を必要とするが、ＵＥ８２０は、ｅＮＢ８１０ａからのＤＬ経路損失を間違って使用する。これにより、ＵＥ８２０は、必要よりも高い送信電力でＵＬを送信することになり、他のノードとの干渉を生じ得る。間違ったＤＬ経路損失情報は、不精確な開ループ電力制御をまねき得る。そのような開ループ電力修正誤差は、効率的なＵＬ動作をするように対処される必要がある。同じ問題は、干渉除去対応ＵＥについては、それらのＵＥがＲＲＨと通信し得るので回避される。一方、図９に示されたＣｏＭＰシナリオ９００の場合、同様の問題が存在し得、そこでは、ＵＥ９２０は間違ったソースから、たとえば、ＲＲＨ１  ９１０ｂ−１のみの代わりに、ｅＮＢ９１０ａとＲＲＨ１  ９１０ｂ−１〜ＲＲＨ４  ９１０ｂ−４との組合せからＤＬ経路損失を導出する。
【００４８】
図１０に、間違ったＤＬ経路損失情報を補償するために閉ループＴＰＣが使用され得る、物理アップリンク共有チャネル（ＰＵＳＣＨ）プロセス１０００のためのＵＬ電力制御を示す。また、図８および図９の一部分の詳細を表す構成１１００中のＲＲＨ１  １１１０ｂ−１と、ｅＮＢ１１１０ａと、ＵＥ１１２０とを示す図１１を参照すると、１００２において、ＲＲＨ１  １１１０ｂ−１は、ＵＥ１１２０のための望ましいＵＬ送信電力レベルと関連する所望のＴＰＣ情報とを決定する。ｅＮＢ１１１０ａはカバレージエリア１１９０を制御する。
【００４９】
１００４において、ＲＲＨ１  １１１０ｂ−１は、バックホール通信１１６２中で所望のＴＰＣ情報をｅＮＢ１１１０ａにフォワーディングする。補償の一態様では、ＲＲＨ１  １１１０ｂ−１とｅＮＢ  １１１０ａとの間の所望のＴＰＣ情報転送は、ゼロまたは非常に低い遅延で行われ、集中型処理が、ＵＥ１１２０に送信されるＴＰＣを設定するために使用され得る。たとえば、すべてのポイント（すなわち、ｅＮＢ９１０ａおよびＲＲＨ１  ９１０ｂ−１〜ＲＲＨ４  ９１０ｂ−４）がＵＥ９２０に制御情報を送信するＣｏＭＰシナリオ９００では、ｅＮＢ９１０ａなどのノードにおける集中型決定は、ＵＥ９２０に送信されるＴＰＣについて、ＲＲＨ９１０ｂ−１から受信した所望のＴＰＣ情報に基づいて行われる。ＴＰＣは、次いで、ｅＮＢ１１１０ａ送信とともに、ＵＥ９２０への送信のためにすべての他のポイント（たとえば、ＲＲＨ１  ９１０ｂ−１〜ＲＲＨ４  ９１０ｂ−４）に通信される。
【００５０】
１００６において、ＴＰＣが制御送信１１７６中でＵＥ１１２０に送信される。ＣｏＭＰシナリオ８００の場合、ｅＮＢ８１０ａがＵＥ８２０に送信する。ＣｏＭＰシナリオ９００の場合、ＵＥ９２０がＵＬ  ＰＵＳＣＨ１１８２などのＵＬ  ＰＵＳＣＨをＴＰＣによって設定された電力レベルで送信し得るように、すべてのポイント（すなわち、ｅＮＢ９１０ａおよびＲＲＨ１  ９１０ｂ−１〜ＲＲＨ４  ９１０ｂ−４）がＵＥ９２０にＴＰＣを送信する。
【００５１】
引き続き図１１を参照すると、ＵＬ送信についての電力制御問題を緩和するために、無効化開ループ電力制御と連携した閉ループＴＰＣ手法が使用され得る。これは、ＰＵＳＣＨ、物理アップリンク制御チャネル（ＰＵＣＣＨ）、および他のＵＬ信号（たとえば、サウンディング基準信号など）に適用され得る。ＵＬ  ＰＵＳＣＨ送信の場合、既存の規格を使用して開ループ電力制御を無効化することが可能である。しかしながら、ＰＵＣＣＨのために開ループ電力制御を無効化するための標準的な手法はない。ＵＬ  ＰＵＣＣＨのための電力制御の一態様では、開ループ電力制御を無効化するために、ＰＵＣＣＨのために開ループ電力制御を無効化するための新しいＵＥ固有パラメータが使用され得る。パラメータは、ＲＦ特性と範囲拡大ステータスとに基づいてＵＥのロケーションに依存して設定され得る。
【００５２】
ＵＥが間違ったソースからの経路損失情報を利用するという問題と同様に、図８に示した干渉除去なしのＣｏＭＰシナリオ８００、または図９に示したＣｏＭＰシナリオ９００の場合、ＵＥは間違ったソースから、たとえば、ＲＲＨの代わりにｅＮＢからＤＬタイミングを導出する。この問題は、干渉除去対応ＵＥについては、それらのＵＥがＲＲＨと通信し得るので回避される。
【００５３】
必要なタイミングオフセットを補償するためにタイミングアドバンス（ＴＡ）コマンドが使用され得る。ＴＡ決定プロセス１２００のフローチャートである図１２を参照し、また再び図１１を参照すると、１２０２において、ＲＲＨ１  １１１０ｂ−１は、ＵＥ１１２０のために望ましいＵＬタイミングオフセットを決定し、１つまたは複数のＴＡコマンド１１７２中で送信する。
【００５４】
図１３は、第１のＵＥのための受信信号と第２のＵＥのための受信信号との間のアライメントを最大にするために絶対的なＬＴＥシステムタイムライン１３１０に対するオフセットＲＲＨシステムタイムライン１３２０を示すタイミング図１３００である。オフセットＲＲＨシステムタイムライン１３２０を参照すると、高速フーリエ変換（ＦＦＴ）ウィンドウオフセットがＲＲＨに導入され得る。一方、絶対ＬＴＥシステムタイムライン１３１０を参照すると、ＦＦＴウィンドウオフセットはｅＮＢに与えられない。
【００５５】
さらに図１２を参照すると、１２０４において、ＲＲＨ１  １１１０ｂ−１は、バックホール通信１１６２中で所望のＴＡ情報をｅＮＢ１１１０ａにフォワーディングする。補償の一態様では、ＲＲＨ１  １１１０ｂ−１とｅＮＢ  １１１０ａとの間の所望のＴＡ情報転送は、ゼロまたは非常に低い遅延で行われ、ＵＥ１１２０に送信されるＴＡを設定するために集中型処理が使用され得る。たとえば、すべてのポイント（すなわち、ｅＮＢ９１０ａおよびＲＲＨ１  ９１０ｂ−１〜ＲＲＨ４  ９１０ｂ−４）がＵＥ９２０に制御情報を送信する図９のＣｏＭＰシナリオ９００では、ｅＮＢ９１０ａなどのノードにおける集中型決定は、ＵＥ９２０に送信されるＴＡについて、ＲＲＨ９１０ｂ−１から受信した所望のＴＡ情報に基づいて行われる。ＴＡは、次いで、ｅＮＢ１１１０ａ送信とともにＵＥ９２０への送信のためにすべての他のポイント（たとえば、ＲＲＨ１  ９１０ｂ−１〜ＲＲＨ４  ９１０ｂ−４）に通信される。
【００５６】
１２０６において、ＴＡが制御送信１１７６中でＵＥ１１２０に送信される。図８のＣｏＭＰシナリオ８００の場合、ｅＮＢ８１０ａはＴＡ制御情報をＵＥ８２０に送信する。図９のＣｏＭＰシナリオ９００の場合、ＵＥ９２０がＴＡコマンドに基づくタイミングオフセットでＵＬ信号を送信し得るように、すべてのポイント（すなわち、ｅＮＢ９１０ａおよびＲＲＨ１  ９１０ｂ−１〜ＲＲＨ４  ９１０ｂ−４）がＴＡ制御情報をＵＥ９２０に送信する。
【００５７】
図１４は、本明細書で開示する電力制御の様々な態様に基づくワイヤレス通信の方法のフローチャート１４００である。本方法は、ＵＥによって実行され得る。ステップ１４０２において、ＵＥは、ｅＮＢなどの第１のセルから制御情報を受信する。ステップ１４０４において、ＵＥは、第１のセルからの受信した制御情報に部分的に基づいてＲＲＨなどの第２のセルへのアップリンク送信を生成する。たとえば、ＵＥは、第１のセルからの基準信号のダウンリンク経路損失を測定し、測定されたダウンリンク経路損失に基づいて第２のセルへのアップリンク送信のための送信電力を設定することによって、アップリンク送信を生成し得る。ここで、測定されたダウンリンク経路損失は、アップリンクで送信するのに必要な電力量を示し得る。ＵＥはさらに、第１のセルから送信電力を調整するための送信電力制御（ＴＰＣ）情報を受信し得る。別の例では、ＵＥは、第１のセルからの受信した制御情報を使用してダウンリンクタイミングを決定することと、決定されたダウンリンクタイミングに基づいて第２のセルへのアップリンク送信を通信するためのアップリンクタイミングを設定することとによって、アップリンク送信を生成し得る。ここで、決定されたダウンリンクタイミングは、アップリンクで送信するのに必要なタイミングを示し得る。ＵＥはさらに、第１のセルからアップリンクタイミングを調整するためのタイミングアドバンス情報を受信し得る。
【００５８】
ステップ１４０６において、ＵＥは、第２のセルへのアップリンク送信に基づいて送信電力設定を受信する。ステップ１４０８において、ＵＥは、受信した送信電力を使用して第２のセルにアップリンクで送信する。
【００５９】
図１５は、本明細書で開示する電力制御の様々な態様に基づくワイヤレス通信の方法のフローチャート１５００である。本方法は、ＲＲＨなどの第１のセルによって実行され得る。ステップ１５０２において、第１のセルは、第１のセルの範囲拡大領域中のＵＥへの第２のセルによる制御情報と第１のセルによるデータとのＣｏＭＰ送信に関してｅＮＢなどの第２のセルと通信する。ステップ１５０４において、第１のセルは、ＵＥによる第１のセルへのアップリンク送信のための所望の送信電力レベルを決定する。たとえば、第１のセルは、それのＵＥまでの近接度に基づいて、ＵＥが他のノードに対する干渉を引き起こす送信電力レベルを決定することと、干渉を引き起こさない、可能な最高の送信電力レベルに所望の電力レベルを設定することとによって、ＵＥ送信のための所望の送信電力レベルを決定し得る。ステップ１５０６において、第１のセルは、第２のセルにアップリンク送信のための所望の送信電力レベルを与える。
【００６０】
図１６は、本明細書で開示する電力制御の様々な態様に基づくワイヤレス通信の方法のフローチャート１６００である。本方法は、ｅＮＢなどの第１のセルによって実行され得る。ステップ１６０２において、第１のセルは、第２のセルの範囲拡大領域中のＵＥへの第１のセルによる制御情報と第２のセルによるデータとのＣｏＭＰ送信に関してＲＲＨなどの第２のセルと通信する。ステップ１６０４において、第１のセルは、第２のセルからＵＥのための所望の送信電力レベルを受信する。ステップ１６０６において、第１のセルは、所望の送信電力レベルに基づいて制御情報を生成する。たとえば、第１のセルは、第２のセルからＵＥの送信電力制御（ＴＰＣ）に関連する情報を受信し、ＵＥのＴＰＣに関連する情報に基づいて、ＵＥがアップリンク送信電力を調整することを可能にするための制御情報を生成する。ステップ１６０８において、第１のセルは制御情報をＵＥに送信する。
【００６１】
図１７は、例示的な装置１００中の異なるモジュール間のデータフローを示す概念図１７００である。装置１００は、第１のセルから制御情報１７１０を受信するモジュール１７０２と、第１のセルからの受信した制御情報に部分的に基づいて第２のセルへのアップリンク送信を生成するモジュール１７０４とを含む。たとえば、モジュール１７０４は、第１のセルからの基準信号のダウンリンク経路損失を決定することと、決定されたダウンリンク経路損失に基づいて第２のセルへのアップリンク送信のための送信電力を設定することとによって、アップリンク送信を生成し得る。ここで、決定されたダウンリンク経路損失は、アップリンクで送信するのに必要な電力量を示し得る。モジュール１７０４はさらに、第１のセルからの受信した送信電力を調整するための送信電力制御（ＴＰＣ）情報を使用し得る。別の例では、モジュール１７０４は、第１のセルからの受信した制御情報を使用してダウンリンクタイミングを決定することと、決定されたダウンリンクタイミングに基づいて第２のセルへのアップリンク送信を通信するためのアップリンクタイミングを設定することとによって、アップリンク送信を生成し得る。ここで、決定されたダウンリンクタイミングは、アップリンクで送信するのに必要なタイミングを示し得る。モジュール１７０４はさらに、第１のセルからの受信したアップリンクタイミングを調整するためのタイミングアドバンス情報を使用し得る。
【００６２】
モジュール１７０２はまた、第２のセルへのアップリンク送信に基づいて送信電力設定を受信するように構成され得る。モジュール１７０４は、送信電力を使用して第２のセルにアップリンクで送信し得る。送信は送信モジュール１７０８を使用して行われ得、受信は受信モジュール１７０６を使用して行われ得る。この図に関しては説明しないが、当業者には理解されるように、データが受信および送信され得る。
【００６３】
本装置は、図１４の上述のフローチャート中のアルゴリズムのステップの各々を実行する追加のモジュールを含み得る。したがって、図１４の上述のフローチャート中の各ステップは、１つのモジュールによって実行され得、装置は、それらのモジュールのうちの１つまたは複数を含み得る。それらのモジュールは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６４】
図１８は、処理システム１８１４を採用する装置１００’のためのハードウェア実装形態の例を示す図である。本装置は、トランシーバ１８１０に結合された処理システム１８１４を含む。トランシーバ１８１０は、１つまたは複数のアンテナ１８２０に結合される。トランシーバ１８１０は、伝送媒体上で様々な他の装置と通信するための手段を与える。処理システム１８１４は、コンピュータ可読媒体１８０６に結合されたプロセッサ１８０４を含む。プロセッサ１８０４は、コンピュータ可読媒体１８０６に記憶されたソフトウェアの実行を含む一般的な処理を担う。ソフトウェアは、プロセッサ１８０４によって実行されたとき、処理システム１８１４に、特定の装置のための上記で説明した様々な機能を実行させる。コンピュータ可読媒体１８０６はまた、ソフトウェアを実行するときにプロセッサ１８０４によって操作されるデータを記憶するために使用され得る。処理システムは、ｅＮＢなどの第１のセルから制御情報を受信するための制御情報受信モジュール１８３２と、第１のセルからの受信した制御情報に部分的に基づいてＲＲＨなどの第２のセルへのアップリンク送信を生成するためのアップリンク送信生成モジュール１８３４と、第２のセルへのアップリンク送信に基づいて送信電力設定を受信するための送信電力レベル受信モジュール１８３６と、送信電力を使用して第２のセルにアップリンクで送信するためのアップリンク送信１８３８とをさらに含む。それらのモジュールは、プロセッサ１８０４中で動作するか、コンピュータ可読媒体１８０６中に存在する／記憶されたソフトウェアモジュールであるか、プロセッサ１８０４に結合された１つまたは複数のハードウェアモジュールであるか、またはそれらの何らかの組合せであり得る。処理システム１８１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００６５】
一構成では、ワイヤレス通信のための装置１００／１００’は、第１のセルから制御情報を受信するための手段と、第１のセルからの受信した制御情報に部分的に基づいて第２のセルへのアップリンク送信を生成するための手段と、第２のセルへのアップリンク送信に基づいて送信電力設定を受信するための手段と、送信電力を使用して第２のセルにアップリンクで送信するための手段とを含む。上述の手段は、上述の手段によって記載される機能を実行するように構成された、装置１００および／または装置１００’の処理システム１８１４の上述のモジュールのうちの１つまたは複数であり得る。上記で説明したように、処理システム１８１４は、ＴＸプロセッサ６６８と、ＲＸプロセッサ６５６と、コントローラ／プロセッサ６５９とを含み得る。したがって、一構成では、上述の手段は、上述の手段によって記載された機能を実行するように構成されたＴＸプロセッサ６６８と、ＲＸプロセッサ６５６と、コントローラ／プロセッサ６５９とであり得る。
【００６６】
図１９は、ＲＲＨなどの第１のセルのための例示的な装置１００中の異なるモジュール間のデータフローを示す概念図１９００である。装置１００は、第１のセルの範囲拡大領域中のＵＥへの第２のセルによる制御情報と第１のセルによるデータとのＣｏＭＰ送信に関してｅＮＢなどの第２のセルと通信するモジュール１９０２と、ＵＥによる第１のセルへのアップリンク送信のための所望の送信電力レベルを決定するモジュール１９０４とを含む。たとえば、モジュール１９０４は、装置１００’のＵＥまでの近接度に基づいて、ＵＥが他のノードに対する干渉を引き起こす送信電力レベルを決定することと、干渉を引き起こさない、可能な最高の送信電力レベルに所望の電力レベルを設定することとによって、ＵＥ送信のための所望の送信電力レベルを決定し得る。
【００６７】
モジュール１９０８は、第２のセルにアップリンク送信のための所望の送信電力レベル１９１２を与える。他の送信は、送信モジュール１９０８を使用して行われ得、ＵＥ通信１９１０のような信号の受信は、受信モジュール１９０６を使用して行われ得る。この図に関しては説明しないが、当業者には理解されるように、データが受信および送信され得る。
【００６８】
本装置は、上述のフローチャート図１５中のアルゴリズムのステップの各々を実行する追加のモジュールを含み得る。したがって、上述のフローチャート図１５中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６９】
図２０は、処理システム２０１４を採用する装置１００’のためのハードウェア実装形態の例を示す図である。本装置は、トランシーバ２０１０に結合された処理システム２０１４を含む。トランシーバ２０１０は、１つまたは複数のアンテナ２０２０に結合される。トランシーバ２０１０は、送信媒体を通じて様々な他の装置と通信するための手段を与える。処理システム２０１４は、コンピュータ可読媒体２００６に結合されたプロセッサ２００４を含む。プロセッサ２００４は、コンピュータ可読媒体２００６に記憶されたソフトウェアの実行を含む一般的な処理を担う。ソフトウェアは、プロセッサ２００４によって実行されたとき、処理システム２０１４に、特定の装置のための上記で説明した様々な機能を実行させる。コンピュータ可読媒体２００６はまた、ソフトウェアを実行するときにプロセッサ２００４によって操作されるデータを記憶するために使用され得る。処理システムは、第１のセルの範囲拡大領域中のＵＥへの第２のセルによる制御情報と第１のセルによるデータとのＣｏＭＰ送信に関してｅＮＢなど第２のセルと通信するためのＣｏＭＰモジュール２０３２と、ＵＥによる第１のセルへのアップリンク送信のための所望の送信電力レベルを決定するための送信電力決定モジュール２０３４と、第２のセルにアップリンク送信のための所望の送信電力レベルを与えるための所望送信電力レベル通知モジュール２０３６とをさらに含む。それらのモジュールは、プロセッサ２００４中で動作するか、コンピュータ可読媒体２００６中に存在する／記憶されたソフトウェアモジュールであるか、プロセッサ２００４に結合された１つまたは複数のハードウェアモジュールであるか、またはそれらの何らかの組合せであり得る。処理システム２０１４はｅＮＢ６１０の構成要素であり得、メモリ６７６、および／またはＴＸプロセッサ６１６とＲＸプロセッサ６７０とコントローラ／プロセッサ６７５とのうちの少なくとも１つを含み得る。
【００７０】
一構成では、ワイヤレス通信のための装置１００／１００’は、第１のセルの範囲拡大領域中のユーザ機器（ＵＥ）への第２のセルによる制御情報と第１のセルによるデータとのＣｏＭＰ送信に関してｅＮＢなどの第２のセルと通信するための手段と、ＵＥによる第１のセルへのアップリンク送信のための所望の送信電力レベルを決定するための手段と、第２のセルにアップリンク送信のための所望の送信電力レベルを与えるための手段とを含む、ＲＲＨなどの第１のセルである。上述の手段は、上述の手段によって記載される機能を実行するように構成された、装置１００および／または装置１００’の処理システム２０１４の上述のモジュールのうちの１つまたは複数であり得る。上記で説明したように、処理システム２０１４は、ＴＸプロセッサ６１６と、ＲＸプロセッサ６７０と、コントローラ／プロセッサ６７５とを含み得る。したがって、一構成では、上述の手段は、上述の手段によって記載された機能を実行するように構成されたＴＸプロセッサ６１６、ＲＸプロセッサ６７０、およびコントローラ／プロセッサ６７５であり得る。
【００７１】
図２１は、ｅＮＢである第１のセルなどの例示的な装置１００中の異なるモジュール間のデータフローを示す概念図２１００である。装置１００は、第２のセルの範囲拡大領域中のＵＥへの第１のセルによる制御情報と第２のセルによるデータとのＣｏＭＰ送信に関してＲＲＨなどの第２のセルと通信するモジュール２１０２と、第２のセルからＵＥのための所望の送信電力レベル２１１０を受信するモジュール２１０６と、所望の送信電力レベルに基づいて制御情報を生成するモジュール２１０４とを含む。たとえば、モジュール２１０６が第２のセルからＵＥの送信電力制御（ＴＰＣ）に関連する情報を受信したとき、モジュール２１０４は、ＵＥのＴＰＣに関連する情報に基づいて、ＵＥがアップリンク送信電力を調整することを可能にするための制御情報を生成し得る。
【００７２】
制御情報２１１２のような信号のための送信は、送信モジュール２１０８を使用して行われ得、受信は、受信モジュール２１０６を使用して行われ得る。この図に関しては説明しないが、当業者には理解されるように、データが受信および送信され得る。
【００７３】
本装置は、上述のフローチャート図１６中のアルゴリズムのステップの各々を実行する追加のモジュールを含み得る。したがって、上述のフローチャート図１６中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７４】
図２２は、処理システム２２１４を採用する装置１００’のためのハードウェア実装形態の例を示す図である。本装置は、トランシーバ２２１０に結合された処理システム２２１４を含む。トランシーバ２２１０は、１つまたは複数のアンテナ２２２０に結合される。トランシーバ２２１０は、送信媒体を介して様々な他の装置と通信するための手段を与える。処理システム２２１４は、コンピュータ可読媒体２２０６に結合されたプロセッサ２２０４を含む。プロセッサ２２０４は、コンピュータ可読媒体２２０６に記憶されたソフトウェアの実行を含む一般的な処理を担う。ソフトウェアは、プロセッサ２２０４によって実行されたとき、処理システム２２１４に、特定の装置のための上記で説明した様々な機能を実行させる。コンピュータ可読媒体２２０６はまた、ソフトウェアを実行するときにプロセッサ２２０４によって操作されるデータを記憶するために使用され得る。処理システムは、第２のセルの範囲拡大領域中のＵＥへの第１のセルによる制御情報と第２のセルによるデータとのＣｏＭＰ送信に関して第２のセルと通信するためのモジュール２２３２と、第２のセルからＵＥのための所望の送信電力レベルを受信するためのモジュール２２３４と、所望の送信電力レベルに基づいて制御情報を生成するためのモジュール２２３６と、制御情報をＵＥに送信するためのモジュール２２０８とをさらに含む。それらのモジュールは、プロセッサ２２０４中で動作するソフトウェアモジュールであるか、コンピュータ可読媒体２２０６中に存在する／記憶されたソフトウェアモジュールであるか、プロセッサ２２０４に結合された１つまたは複数のハードウェアモジュールであるか、またはそれらの何らかの組合せであり得る。処理システム２２１４はｅＮＢ６１０の構成要素であり得、メモリ６７６、および／またはＴＸプロセッサ６１６とＲＸプロセッサ６７０とコントローラ／プロセッサ６７５のうちの少なくとも１つを含み得る。
【００７５】
一構成では、ｅＮＢの第１のセルなどのワイヤレス通信のための装置１００／１００’は、第２のセルの範囲拡大領域中のＵＥへの第１のセルによる制御情報と第２のセルによるデータとのＣｏＭＰ送信に関してＲＲＨなどの第２のセルと通信するための手段と、第２のセルからＵＥのための所望の送信電力レベルを受信するための手段と、所望の送信電力レベルに基づいて制御情報を生成するための手段と、制御情報をＵＥに送信するための手段とを含む。上述の手段は、上述の手段によって記載される機能を実行するように構成された、装置１００、および／または装置１００’の処理システム２２１４の上述のモジュールのうちの１つまたは複数であり得る。上記で説明したように、処理システム２２１４は、ＴＸプロセッサ６１６と、ＲＸプロセッサ６７０と、コントローラ／プロセッサ６７５とを含み得る。したがって、一構成では、上述の手段は、上述の手段によって記載された機能を実行するように構成されたＴＸプロセッサ６１６と、ＲＸプロセッサ６７０と、コントローラ／プロセッサ６７５とであり得る。
【００７６】
本明細書では、ＵＥに送信される制御情報の様々な態様について説明するために電力制御情報が使用されるが、タイミング向上または調整情報も、本明細書で説明される様々な手法を実装するネットワークのＵＥ、ＲＲＨ、または他のノードを制御するための制御情報中で使用され得ることを理解されたい。
【００７７】
開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００７８】
以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に記載されているかどうかにかかわらず、公に供するものではない。いかなるクレーム要素も、その要素が「のための手段」という語句を使用して明確に記載されていない限り、ミーンズプラスファンクションとして解釈されるべきではない。
【図１】
2014534678.tif 000003
【図２】
2014534678.tif 000004
【図３】
2014534678.tif 000005
【図４】
2014534678.tif 000006
【図５】
2014534678.tif 000007
【図６】
2014534678.tif 000008
【図７】
2014534678.tif 000009
【図８】
2014534678.tif 000010
【図９】
2014534678.tif 000011
【図１０】
2014534678.tif 000012
【図１１】
2014534678.tif 000013
【図１２】
2014534678.tif 000014
【図１３】
2014534678.tif 000015
【図１４】
2014534678.tif 000016
【図１５】
2014534678.tif 000017
【図１６】
2014534678.tif 000018
【図１７】
2014534678.tif 000019
【図１８】
2014534678.tif 000020
【図１９】
2014534678.tif 000021
【図２０】
2014534678.tif 000022
【図２１】
2014534678.tif 000023
【図２２】
2014534678.tif 000024
【国際調査報告】
2014534678.tif 000025
2014534678.tif 000026
2014534678.tif 000027